(57)【要約】  通信ネットワーク技術の分野に属し、ページングメッセージを減少させ、システムリソースを効果的に節約することが可能なページング方法、ネットワーク要素、管理ネットワーク要素、及び通信システムが、本発明において開示される。本発明において提供される技術的解決法は、アクセスネットワーク要素又はアクセスゲートウェイによってサポートされ、アクセスネットワーク要素又はアクセスゲートウェイから送信された限定加入者グループ（ＣＳＧ）識別子を受信するステップと、ＣＳＧ識別子に従ってページングされることが要求されるアクセスネットワーク要素又はアクセスゲートウェイを取得するステップと、ページングされることが要求されるアクセスネットワーク要素又はアクセスゲートウェイにページングメッセージを送信するステップと、を含む。
2011530250.tif 000002
【特許請求の範囲】
【請求項１】
アクセスネットワーク要素（ＮＥ）から送信された該アクセスＮＥによってサポートされる限定加入者グループ（ＣＳＧ）識別子（ＩＤ）を、又は、アクセスゲートウェイ（ＧＷ）から送信された該アクセスＧＷによってサポートされるＣＳＧ  ＩＤを受信することと、
前記アクセスＮＥによってサポートされるＣＳＧ  ＩＤに従ってページングされるアクセスＮＥを、又は、前記アクセスＧＷによってサポートされるＣＳＧ  ＩＤに従ってページングされるアクセスＧＷを取得することと、
前記取得されたページングされるアクセスＮＥ又はアクセスＧＷにページングメッセージを送信することと、
を含む、ページング方法。
【請求項２】
前記アクセスＮＥによってサポートされるＣＳＧ  ＩＤに従ってページングされるアクセスＮＥを取得することは、
ページングされるＣＳＧ  ＩＤを取得することであって、前記アクセスＮＥ又はアクセスＧＷによってサポートされるＣＳＧ  ＩＤがページングされるＣＳＧ  ＩＤに一致する場合、前記アクセスＮＥ又はアクセスＧＷはページングされるアクセスＮＥ又はアクセスＧＷである、前記ページングされるＣＳＧ  ＩＤを取得すること、または、
ユーザ装置（ＵＥ）の許可されたＣＳＧリストを取得することであって、前記アクセスＮＥ又はアクセスＧＷによってサポートされるＣＳＧ  ＩＤが前記ＵＥの許可されたＣＳＧリスト内のＣＳＧ  ＩＤに一致する場合、前記アクセスＮＥ又はアクセスＧＷはページングされるアクセスＮＥ又はアクセスＧＷである、前記ＵＥの許可されたＣＳＧリストを取得すること
を含む、請求項１に記載の方法。
【請求項３】
前記ページングされるＣＳＧ  ＩＤを取得することは、
前記ＵＥの許可されたＣＳＧリスト内のＣＳＧ  ＩＤを、ページングされるＣＳＧ  ＩＤとみなすこと、または
前記ＵＥの許可されたＣＳＧリスト内のＣＳＧ  ＩＤに対応する位置エリアＩＤが前記ＵＥのモビリティリスト内にあるかどうかを判定し、前記位置ＩＤが前記モビリティリスト内にある場合、前記ＣＳＧ  ＩＤをページングされるＣＳＧ  ＩＤとみなすこと
を含む、請求項２に記載の方法。
【請求項４】
前記アクセスＮＥから送信された該アクセスＮＥによってサポートされるＣＳＧ  ＩＤを受信することは、
前記アクセスＮＥ又は前記アクセスＧＷから送信されたＣＳＧ  ＩＤを含むセットアップ要求メッセージを受信すること、または、
前記アクセスＮＥ又は前記アクセスＧＷから送信されたＣＳＧ  ＩＤを含む通知要求メッセージを受信すること
を含む、請求項１に記載の方法。
【請求項５】
前記ページングされるアクセスＮＥにページングメッセージを送信することは、
前記ページングメッセージを前記アクセスＮＥに直接送信すること、または、
前記ページングメッセージを前記アクセスＧＷに送信することであって、前記ページングメッセージはページングされるＣＳＧ  ＩＤを含み、前記アクセスＧＷはＣＳＧ  ＩＤに従ってＣＳＧ  ＩＤをサポートするアクセスＮＥに前記ページングメッセージを送信し、前記アクセスＮＥによってサポートされるＣＳＧ  ＩＤを該アクセスＮＥによって報告される情報から取得する、前記ページングメッセージを前記アクセスＧＷに送信すること
を含む、請求項１〜４のいずれか一項に記載の方法。
【請求項６】
管理ネットワーク要素（ＮＥ）によってアクセスＮＥ又はアクセスＧＷから限定加入者グループ（ＣＳＧ）指示メッセージを受信することと、
前記管理ＮＥによって前記ＣＳＧ指示メッセージに従ってＣＳＧ機能をサポートする前記アクセスＮＥ又は前記アクセスＧＷにページングメッセージを送信することであって、前記ページングメッセージはユーザ装置（ＵＥ）の許可されたＣＳＧリストを運ぶ、前記送信することと、
を含む、ページング方法。
【請求項７】
前記アクセスＮＥ又は前記アクセスＧＷから前記ＣＳＧ指示メッセージを受信することは、
前記管理ＮＥによって前記アクセスＮＥ又は前記アクセスＧＷから送信されるセットアップ要求メッセージ前記ＣＳＧ指示メッセージを受信すること
を含む、請求項６に記載の方法。
【請求項８】
アクセスネットワーク要素（ＮＥ）又はアクセスゲートウェイ（ＧＷ）によって管理ＮＥからページングメッセージを受信することを含むページング方法であって、管理ＮＥは、
アクセスＮＥから送信された該アクセスＮＥによってサポートされる限定加入者グループ（ＣＳＧ）ＩＤを受信するように、又は、アクセスゲートウェイ（ＧＷ）から送信された前記アクセスＧＷによってサポートされるＣＳＧ  ＩＤを受信するように構成された受信ユニットと、
前記アクセスＮＥによってサポートされるＣＳＧ  ＩＤに従ってページングされるアクセスＮＥを取得するように、又は、前記アクセスＧＷによってサポートされるＣＳＧ  ＩＤに従ってページングされるアクセスＧＷを取得するように構成されたページングＮＥ取得ユニットと、
前記取得されたページングされるアクセスＮＥ又はアクセスＧＷにページングメッセージを送信するように構成されたページングユニットと、
を備える、ページング方法。
【請求項９】
前記送信されるページングメッセージ内でＵＥの許可されたＣＳＧリストを運ぶよう前記管理ＮＥに指示するために前記アクセスＮＥ又は前記アクセスＧＷによって前記管理ＮＥにＣＳＧ指示メッセージを報告すること
を更に含む、請求項８に記載の方法。
【請求項１０】
前記ページングメッセージを前記アクセスＧＷに送信することは、
前記アクセスＧＷが、サポートされるＣＳＧ  ＩＤがＣＳＧリスト内にあると判定した場合、前記アクセスＧＷによって前記ページングメッセージを前記ＣＳＧ  ＩＤに対応するアクセスＮＥに送信すること
を含む、請求項８に記載の方法。
【請求項１１】
アクセスネットワーク要素（ＮＥ）又はアクセスＧＷから送信された該アクセスＮＥ又は該アクセスＧＷによってサポートされる限定加入者グループ（ＣＳＧ）ＩＤを受信するように適合された受信ユニットと、
前記受信ユニットによって受信された前記ＣＳＧ  ＩＤに従ってページングされるアクセスＮＥ又はアクセスＧＷを取得するように適合されたページングＮＥ取得ユニットと、
前記ページングされるアクセスＮＥ又はアクセスＧＷにページングメッセージを送信するように適合されたページングユニットと、
を備える、管理ネットワーク要素（ＮＥ）。
【請求項１２】
前記ページングＮＥ取得ユニットは、ページングされるＣＳＧ  ＩＤを取得し、前記アクセスＮＥ又は前記アクセスＧＷによってサポートされるＣＳＧ  ＩＤがページングされるＣＳＧ  ＩＤに一致する場合、前記アクセスＮＥ又は前記アクセスＧＷをページングされるアクセスＮＥ又はアクセスＧＷとみなすように更に構成されるか、または、
前記ページングＮＥ取得ユニットは、前記アクセスＮＥ又は前記アクセスＧＷによってサポートされるＣＳＧ  ＩＤがユーザ装置（ＵＥ）の許可されたＣＳＧリスト内のＣＳＧ  ＩＤに一致する場合、前記アクセスＮＥ又は前記アクセスＧＷをページングされるアクセスＮＥ又はアクセスＧＷとみなすように更に構成される、
請求項１１に記載の管理ＮＥ。
【請求項１３】
ネットワーク要素（ＮＥ）であって、
前記ＮＥの限定加入者グループ（ＣＳＧ）指示メッセージを報告するように適合された報告ユニットと、
管理ＮＥから、ユーザ装置（ＵＥ）の許可されたＣＳＧリストを含むページングメッセージを受信するように適合された受信ユニットと、
前記ＮＥによってサポートされるＣＳＧ識別子（ＩＤ）が許可されたＣＳＧリスト内にあるかどうかを判定し、ＣＳＧ  ＩＤが前記許可されたＣＳＧリスト内にある場合、ページングメッセージを送信するように適合されたページング処理ユニットと、
を備える、ＮＥ。
【請求項１４】
管理ネットワーク要素（ＮＥ）であって、
アクセスＮＥ又はアクセスゲートウェイ（ＧＷ）から限定加入者グループ（ＣＳＧ）指示メッセージを受信するように適合された受信ユニットと、
ＣＳＧ指示メッセージに従って、ＣＳＧ機能をサポートするアクセスＮＥ又はアクセスＧＷに、ユーザ装置（ＵＥ）の許可されたＣＳＧリストを含むページングメッセージを送信するように適合されたページング処理ユニットと、
を備える、ＮＥ。
【請求項１５】
アクセスネットワーク要素（ＮＥ）によってサポートされる限定加入者グループ（ＣＳＧ）ＩＤを管理ＮＥに報告し、前記管理ＮＥからページングメッセージを受信し、前記ページングメッセージを送信するように構成されるか、または、ＣＳＧ指示情報を前記管理ＮＥに報告し、前記管理ＮＥからユーザ装置（ＵＥ）の許可されたＣＳＧリストを受信し、アクセスＮＥによってサポートされるＣＳＧ  ＩＤが前記許可されたＣＳＧリスト内にあるかどうかを判定し、ＣＳＧ  ＩＤが前記許可されたＣＳＧリスト内にある場合、ページングメッセージを送信するように構成された前記アクセスＮＥと、
前記アクセスＮＥによってサポートされるＣＳＧ  ＩＤを受信し、前記ＣＳＧ  ＩＤが、ページングされるＣＳＧ  ＩＤに一致するか、若しくは、前記ＵＥの許可されたＣＳＧリスト内のＣＳＧ  ＩＤに一致する場合、前記ページングメッセージを対応するアクセスＮＥに送信するように構成されるか、または、前記ＣＳＧ指示情報を受信し、ＣＳＧ機能をサポートするアクセスＮＥにページングメッセージを送信するように構成され、前記ページングメッセージは前記ＵＥの許可されたＣＳＧリストを含む、前記管理ＮＥと、
を備える通信システム。
【請求項１６】
アクセスネットワーク要素（ＮＥ）と、アクセスゲートウェイ（ＧＷ）と、管理ＮＥと、を備える通信システムであって、
前記アクセスＮＥは、前記アクセスＮＥによってサポートされる限定加入者グループ（ＣＳＧ）ＩＤを前記アクセスＧＷに報告し、前記アクセスＧＷからページングメッセージを受信し、前記ページングメッセージを送信するように構成され、
前記アクセスＧＷは、前記アクセスＧＷによってサポートされるＣＳＧ  ＩＤを前記管理ＮＥに報告し、前記管理ＮＥからページングメッセージを受信し、前記ページングメッセージ内に含まれるページングされるＣＳＧ  ＩＤに従ってページングメッセージを対応するアクセスＮＥに送信するように構成されるか、または、前記アクセスＧＷのＣＳＧ指示情報を前記管理ＮＥに報告し、前記管理ＮＥからユーザ装置（ＵＥ）の許可されたＣＳＧリストを含むページングメッセージを受信し、前記アクセスＧＷによってサポートされるＣＳＧ  ＩＤが前記許可されたＣＳＧリスト内にあるかどうかを判定し、前記ＣＳＧ  ＩＤが前記許可されたＣＳＧリスト内にある場合、前記ページングメッセージを送信するように構成され、
前記管理ＮＥは、前記アクセスＧＷによって報告されたＣＳＧ  ＩＤを受信し、前記ＣＳＧ  ＩＤがページングされるＣＳＧ  ＩＤに一致するか、若しくは、前記ＵＥの許可されたＣＳＧリスト内のＣＳＧ  ＩＤに一致する場合、前記ページングメッセージを前記アクセスＧＷに送信するように構成されるか、または、前記アクセスＧＷによって報告されたＣＳＧ指示情報を受信し、前記ＣＳＧ指示情報に従ってＣＳＧ機能をサポートするアクセスＧＷにページングメッセージを送信するように構成され、前記ページングメッセージは前記ＵＥの許可されたＣＳＧリストを含む、
通信システム。
【発明の詳細な説明】
【技術分野】
【０００１】
本発明は、通信ネットワーク技術に関し、特に、ページング方法、ネットワーク要素（ＮＥ）、管理ＮＥ、及び通信システムに関する。
【背景技術】
【０００２】
ネットワーク技術の急速な発展に伴って、インターネットアクセス技術は絶えず向上している。ホームアクセスは、第３世代パートナーシッププロジェクト（３ＧＰＰ）及び非３ＧＰＰ標準化組織によって研究されている新しいアクセスモードである。
【０００３】
ホームアクセスモードでは、ホーム無線アクセスポイント（ＡＰ）とライセンス帯域（ｌｉｃｅｎｓｅｄ  ｓｐｅｃｔｒｕｍ）とを使用して、ユーザ装置（ＵＥ）が汎用ＩＰアクセスネットワークを介してモバイルネットワークにアクセスすることを可能にする。ライセンス帯域は、ＵＭＴＳ地上無線アクセスネットワーク（ＵＴＲＡＮ）、発展型ＵＭＴＳ地上無線アクセスネットワーク（Ｅ−ＵＴＲＡＮ）、符号分割多重アクセス（ＣＤＭＡ）ネットワーク、ワールドワイド・インターオペラビリティ・フォー・マイクロウェーブ・アクセス（ＷｉＭａｘ）ネットワーク、無線ローカルエリアネットワーク（ＷＬＡＮ）、及び高速パケットデータ（ＨＲＰＤ）ネットワークなどの複数のタイプのネットワーク上で使用される周波数帯を含む。
【０００４】
図１は、例示的なホームアクセスシステムのアーキテクチャを示す。ホームＮｏｄｅＢ（ＨＮＢ）は、ＵＴＲＡＮ帯域上で動作するホーム無線ＡＰ（ＷＡＰ）である。ホーム発展型ＮｏｄｅＢ（ＨｅＮＢ）は、Ｅ−ＵＴＲＡＮ帯域上で動作するホーム無線ＡＰである。ホーム非３ＧＰＰ無線ＡＰ（ホーム非３ＧＰＰ  ＷＡＰ）は、（ＣＤＭＡ／Ｗｉｍａｘ／ＷＬＡＮ／ＨＲＰＤネットワークなどの）非３ＧＰＰネットワーク帯域上で動作するホームＷＡＰである。
【０００５】
ホームＮｏｄｅＢゲートウェイ（ＨＮＢ  ＧＷ）、ホーム発展型ＮｏｄｅＢ  ＧＷ（ＨｅＮＢ  ＧＷ）、及びホーム非３ＧＰＰ  ＷＡＰゲートウェイ（ホーム非３ＧＰＰ  ＷＡＰ  ＧＷ）は、汎用ＩＰアクセスネットワークを介して接続されたＨＮＢ、ＨｅＮＢ、及びホーム非３ＧＰＰ  ＷＡＰのホームＷＡＰのＧＷである。
【０００６】
ホームＡＰのＧＷは、ホームＡＰの管理、アクセスの制御、ホームＡＰの集束、ホームＡＰとモバイルネットワーク上のＮＥとの間のシグナリングデータのルーティング及び転送の機能を実施する。
【０００７】
モバイルネットワーク上のＮＥとしては、Ｅ−ＵＴＲＡＮネットワーク上のモビリティ管理エンティティ（ＭＭＥ）、ＧＰＲＳ／ＵＭＴＳネットワーク上のサービングＧＰＲＳサポーティングノード（ＳＧＳＮ）、及び非３ＧＰＰ  ＧＷ（ＷＬＡＮネットワーク上の発展型パケットデータゲートウェイ（ＥＰＤＧ）、ＷｉＭＡＸネットワーク上のアクセスサービスネットワークゲートウェイ（ＡＳＮ  ＧＷ）、ＣＤＭＡネットワーク上のアクセスゲートウェイ（ＡＧＷ）、及びＨＲＰＤネットワーク上のＨＲＰＤサービングゲートウェイ（ＨＳＧＷ）などの非３ＧＰＰネットワーク上の複数のタイプの実施エンティティを含む）が挙げられる。
【０００８】
ホーム加入者サーバ（ＨＳＳ）は、ＵＥに関する加入情報を記憶する。認証、認可、及び課金（ＡＡＡ）サーバは、アクセス認証、認可、及び課金を実行する。
【０００９】
ホームアクセスシステムの例示的アーキテクチャのみを上に記載した。別のホームアクセスシステムでは、ホームＡＰは、モバイルネットワーク上のＮＥに直接接続されてもよい。
【００１０】
ＵＥのアクセスを特別なホームＷＡＰに制限するために、限定加入者グループ（ｃｌｏｓｅｄ  ｓｕｂｓｃｒｉｂｅｒ  ｇｒｏｕｐ）（ＣＳＧ）が導入される。ＣＳＧは、事業者の１つ以上のセルにアクセスすることを許可された幾つかのＵＥ（又はユーザ）を識別する。しかし、他のＵＥは、それらのセルにアクセスすることを許可されない。１つのＣＳＧエリアは、１つ以上のセルを含み、ＣＳＧ識別子（ＩＤ）によって識別される。１つのＣＳＧエリアは、ＵＥのグループのみによってアクセスされることが可能であり、このグループ内にない他のＵＥは、そのＣＳＧエリアにアクセスすることを許可されない。ＵＥによってアクセスすることを許可された全てのＣＳＧエリアのＣＳＧ  ＩＤから構成される許可されたＣＳＧリスト（ａｌｌｏｗｅｄ  ＣＳＧ  ｌｉｓｔ）は、ＣＳＧホワイトリストとも呼ばれる場合がある。モビリティ管理ＮＥ（ＳＧＳＮ又はＭＭＥ）あるいは非３ＧＰＰ  ＧＷ、及びＵＥは、ＵＥの許可されたＣＳＧリストを記憶する。
【００１１】
例えば、Ｅ−ＵＴＲＡＮ上のトラッキングエリアアップデート（ＴＡＵ）及びＵＴＲＡＮ上のルーティングエリアアップデートなどの位置エリアの更新を減少させるために、モビリティリストメカニズムが導入される。各位置エリアには、例えば、トラッキングエリア識別（ＴＡＩ）又はルーティングエリア識別（ＲＡＩ）などの位置エリアＩＤが付される。モビリティリストは、１つ以上の位置エリアＩＤを含む。モビリティリスト内の位置エリア間でのＵＥの移動は、位置更新プログラムをトリガしない。ＵＥモビリティリストは、ＳＧＳＮ、ＭＭＥ、又は非３ＧＰＰ  ＧＷによって維持され、ＵＥに送信される。
【００１２】
モビリティ管理ＮＥ（ＳＧＳＮ、ＭＭＥ）又は非３ＧＰＰ  ＧＷがページングメッセージをＵＥに送信する場合、モビリティ管理ＮＥ（ＳＧＳＮ、ＭＭＥ）又は非３ＧＰＰ  ＧＷは、ページングメッセージをモビリティリスト内の全ての位置エリアのホームＡＰに送信し、ホームＡＰは、ページングメッセージをエアインタフェースを介してブロードキャストする。
【００１３】
従来技術は、少なくとも以下の欠点を有する。
【００１４】
１つの位置エリアは、何千ものホームＡＰを含む場合があり、ＵＥのモビリティリストは、通常、複数の位置エリアを含む。従って、ホームＡＰの数は莫大であり、そして、ユーザにとってのホームＡＰの使用は限られている。従来技術では、ページングメッセージが、モビリティリスト内の全ての位置エリア内のホームＡＰに送信され、多数の不必要なページングメッセージが生成される。これにより、多くの帯域幅リソースが占有され、システムリソースの消費が増加する。
【発明の概要】
【発明が解決しようとする課題】
【００１５】
本開示の態様は、ページングメッセージを減少させ、システムリソースを効果的に節約するためのページング方法、ネットワーク要素（ＮＥ）、管理ＮＥ、及び通信システムを提供する。
【課題を解決するための手段】
【００１６】
前述の目的を達成するために、本開示の態様は、以下の技術的解決法を提供する。
【００１７】
本開示の一態様は、ページング方法を提供し、該方法は、
アクセスネットワーク要素（ＮＥ）又はアクセスゲートウェイ（ＧＷ）からアクセスＮＥ又はアクセスＧＷによってサポートされる限定加入者グループ（ＣＳＧ）ＩＤを受信することと、
ＣＳＧ  ＩＤに従ってページングされるアクセスＮＥ又はアクセスＧＷを取得することと、
ページングされるアクセスＮＥ又はアクセスＧＷにページングメッセージを送信することと、を含む。
本開示の一態様は、別のページング方法を提供し、該方法は、
管理ＮＥによってアクセスＮＥ又はアクセスＧＷからＣＳＧ指示情報を受信することと、
管理ＮＥによってＣＳＧ指示情報に従ってＣＳＧ機能をサポートするアクセスＮＥ又はアクセスＧＷにページングメッセージを送信することと、を含み、
ここで、ページングメッセージは、ユーザ装置（ＵＥ）の許可されたＣＳＧリストである。
本開示の一態様は、別のページング方法を提供し、該方法は、
ＮＥ又はアクセスＧＷによって管理ＮＥからページングメッセージを受信し、ページングメッセージはＵＥの許可されたＣＳＧリストであり、
アクセスＮＥ又はアクセスＧＷによってサポートされるＣＳＧ  ＩＤが許可されたＣＳＧリスト内にあるかどうかを判定し、サポートされるＣＳＧ  ＩＤが許可されたＣＳＧリスト内にある場合、アクセスＮＥ又はアクセスＧＷによってページングメッセージを送信することを含む。
【００１８】
本開示の一態様は、管理ＮＥを提供し、管理ＮＥは、
アクセスＮＥ又はアクセスＧＷからアクセスＮＥ又はアクセスＧＷによってサポートされるＣＳＧ  ＩＤを受信するように構成された受信ユニットと、
受信ユニットによって受信されたＣＳＧ  ＩＤに従ってページングされるアクセスＮＥ又はアクセスＧＷを取得するように構成されたページングＮＥ取得ユニットと、
ページングされるアクセスＮＥ又はアクセスＧＷにページングメッセージを送信するように構成されたページングユニットと、を含む。
本開示の一態様は、ＮＥを提供し、ＮＥは、
ＮＥのＣＳＧ指示情報を報告するように構成された報告ユニットと、
管理ＮＥからページングメッセージを受信するように構成された受信ユニットと、
を含む、ページングメッセージ。
【００１９】
本開示の一態様は、アクセスＮＥと、管理ＮＥと、を含む通信システムを提供する。
アクセスＮＥは、アクセスＮＥによってサポートされるＣＳＧ  ＩＤを管理ＮＥに報告し、管理ＮＥからページングメッセージを受信し、ページングメッセージを送信するように構成される。
アクセスＮＥは、アクセスＮＥのＣＳＧ指示情報を管理ＮＥに報告し、管理ＮＥから、ＵＥの許可されたＣＳＧリストを受信し、アクセスＮＥによってサポートされるＣＳＧ  ＩＤが許可されたＣＳＧリスト内にあるかどうかを判定し、ＣＳＧ  ＩＤが許可されたＣＳＧリスト内にある場合、ページングメッセージを送信するように構成される。
管理ＮＥは、アクセスＮＥによってサポートされるＣＳＧ  ＩＤを受信し、ＣＳＧ  ＩＤが取得されたページングされるＣＳＧ  ＩＤに一致するか、又は、ＵＥの許可されたＣＳＧリスト内のＣＳＧ  ＩＤに一致する場合、ページングメッセージを対応するアクセスＮＥに送信するように構成される。
管理ＮＥは、ＣＳＧ指示情報を受信し、ＣＳＧ機能をサポートするアクセスＮＥにページングメッセージを送信するように構成され、ここで、ページングメッセージは、ＵＥの許可されたＣＳＧリストである。
【００２０】
本開示の一実施形態は、アクセスＮＥと、アクセスＧＷと、管理ＮＥと、を含む通信システムを提供する。
アクセスＮＥは、アクセスＮＥによってサポートされるＣＳＧ  ＩＤをアクセスＧＷに報告し、アクセスＧＷからページングメッセージを受信し、ページングメッセージを送信するように構成される。
アクセスＧＷは、アクセスＧＷによってサポートされるＣＳＧ  ＩＤを管理ＮＥに報告し、管理ＮＥからページングメッセージを受信し、ページングメッセージ内にあるページングされるＣＳＧ  ＩＤに従って対応するアクセスＮＥにページングメッセージを送信するように構成される。
アクセスＧＷは、ＣＳＧ指示情報を管理ＮＥに報告し、管理ＮＥからページングメッセージＵＥの許可されたＣＳＧリストを受信し、アクセスＧＷによってサポートされるＣＳＧ  ＩＤが許可されたＣＳＧリスト内にあるかどうかを判定し、ＣＳＧ  ＩＤが許可されたＣＳＧリスト内にある場合、ＣＳＧ  ＩＤに対応するアクセスＮＥにページングメッセージを送信するように構成される。
管理ＮＥは、アクセスＧＷによって報告されたＣＳＧ  ＩＤを受信し、ＣＳＧ  ＩＤがページングされるＣＳＧ  ＩＤに一致するか、又は、ＵＥの許可されたＣＳＧリスト内のＣＳＧ  ＩＤに一致する場合、アクセスＧＷにページングメッセージを送信するように構成される。
管理ＮＥは、アクセスＧＷによって報告されたＣＳＧ指示情報を受信し、ＣＳＧ指示情報に従ってＣＳＧ機能をサポートするアクセスＧＷにページングメッセージを送信するように構成され、ここで、ページングメッセージは、ＵＥの許可されたＣＳＧリストである。
【発明の効果】
【００２１】
本開示の態様によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術における問題が解決される。従って、ページングメッセージとシステムリソース消費とが、効果的に減少させられる。
【図面の簡単な説明】
【００２２】
【図１】従来技術におけるホームアクセスシステムの構成図である。
【図２】本開示の実施形態１によるページング方法のフロー図である。
【図３】本開示の実施形態２によるページング方法のフロー図である。
【図４】本開示の実施形態２による別のページング方法のフロー図である。
【図５】本開示の実施形態５によるページング方法のフロー図である。
【図６】本開示の実施形態５による別のページング方法のフロー図である。
【図７】本開示の実施形態１によるＮＥの構成図である。
【図８】本開示の実施形態１による管理ＮＥの構成図である。
【図９】本開示の実施形態２によるＮＥの構成図である。
【図１０】本開示の実施形態２による管理ＮＥの構成図である。
【図１１】本開示の実施形態１による通信システムの構成図である。
【図１２】本開示の実施形態２による通信システムの構成図である。
【発明を実施するための形態】
【００２３】
本開示の様々な実施形態において開示される技術的解決法の明確な説明のために、以下のセクションでは、本開示の実施形態について添付の図面と組み合わせて詳細に説明する。以下に記載する実施形態は本開示の例示的実施形態にすぎない。本開示のそれらの実施形態に従って、その他の実施形態が当業者によっていかなる創造的な活動も行うことなく作成されることが可能である。
【００２４】
本開示の実施形態１は、ページング方法を提供する。図２に示すように、ページング方法は以下を含む。
【００２５】
ステップＳ２１：アクセスネットワーク要素（ＮＥ）又はアクセスゲートウェイ（ＧＷ）によってサポートされる限定加入者グループ（ＣＳＧ）ＩＤが、アクセスＮＥ又はアクセスＧＷから受信される。
【００２６】
ステップＳ２２：ページングされるアクセスＮＥ又はアクセスＧＷが、ＣＳＧ  ＩＤに従って取得される。
【００２７】
ステップＳ２３：ページングされるアクセスＮＥ又はアクセスＧＷに，ページングメッセージが送信される。
【００２８】
本開示の実施形態１によって提供される技術的解決法を使用すれば、ページングされるアクセスＮＥ又はアクセスＧＷが取得され、ページングメッセージが、ユーザ装置（ＵＥ）によって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【００２９】
以下のセクションでは、本開示の実施形態２によるページング方法について説明する。
【００３０】
本開示の実施形態２は、ページングプロセスに関与するネットワークエンティティの接続モードが異なるという点で相互に異なる、少なくとも２つのページング方法を提供する。
【００３１】
１つのページング方法では、図３に示すように、アクセスＮＥと管理ＮＥとが直接接続される。
【００３２】
実施形態２で提供されるアクセスＮＥは、ＣＳＧ機能をサポートするホームＮｏｄｅＢ（ＨＮＢ）、ホーム発展型ＮｏｄｅＢ（ＨｅＮＢ）、ホーム非３ＧＰＰ無線アクセスポイント（ホーム非３ＧＰＰ  ＷＡＰ）、ＮＢ（すなわち、ＵＥのグループのみがＮＢ、ｅＮＢ、又は非３ＧＰＰ  ＷＡＰにアクセスでき、他のＵＥのアクセスは許可されない）、発展型ＮｏｄｅＢ（ｅＮＢ）、及び非３ＧＰＰ  ＷＡＰのうちの少なくとも１つを含む。
【００３３】
管理ＮＥは、例えば、サービングＧＰＲＳサポーティングノード（ＳＧＳＮ）、モビリティ管理エンティティ（ＭＭＥ）、及び様々なタイプの非３ＧＰＰ  ＧＷ（発展型パケットデータＧＷ（ＥＰＤＧ）、アクセスサービスネットワークＧＷ（ＡＳＮ  ＧＷ）、アクセスＧＷ（ＡＧＷ）、及びＨＲＰＤサービングＧＷ（ＨＳＧＷ）のうちの少なくとも１つなど）のようなモビリティ管理ＮＥを含む。
【００３４】
ステップ３１：アクセスＮＥは、ＣＳＧ  ＩＤを管理ＮＥに直接報告する。
【００３５】
アクセスＮＥは、そのサポートされる（いくつかの実施形態では、「サポートされる」の代わりに「使用される」も使用され、以下では統一のために「サポートされる」を使用する）ＣＳＧ  ＩＤを報告し、同時に、そのサポートされる位置エリアＩＤを報告する。ＣＳＧ  ＩＤ又は位置エリアＩＤを報告するために、２つの方法が使用される。
【００３６】
方法１：位置エリアＩＤを報告するセットアップ要求メッセージが、ＣＳＧ  ＩＤを含む。
【００３７】
既存のリソースを十分に利用するために、既存のセットアップ要求メッセージが、アクセスＮＥのＣＳＧ  ＩＤを報告するために使用される。異なるタイプのネットワーク上では、セットアップ要求メッセージが異なる。例えば、発展型ＵＭＴＳ地上無線アクセスネットワーク（Ｅ−ＵＴＲＡＮ）上では、アクセスＮＥは、Ｓ１セットアップ要求メッセージを管理ＮＥ（例えばＭＭＥ）に送信し、ここで、セットアップ要求メッセージは、アクセスＮＥによってサポートされるトラッキングエリア（ＴＡ）ＩＤとアクセスＮＥによってサポートされるＣＳＧ  ＩＤとを含み、ＵＴＲＡＮ上では、アクセスＮＥは、Ｉｕセットアップ要求メッセージを管理ＮＥ（例えば、ＳＧＳＮ）に送信し、ここで、Ｉｕセットアップ要求メッセージは、アクセスＮＥによってサポートされるルーティングエリア（ＲＡ）ＩＤとアクセスＮＥによってサポートされるＣＳＧ  ＩＤとを含む。
【００３８】
方法２：特別なメッセージが、ＣＳＧ  ＩＤを管理ＮＥに報告するために使用される。
【００３９】
本開示の実施形態２によれば、アクセスＮＥは、ＣＳＧ  ＩＤを管理ＮＥに報告するために、ＣＳＧ通知要求メッセージを送信する。
【００４０】
ステップ３２：管理ＮＥは、応答メッセージをアクセスＮＥに送信する。
【００４１】
ＣＳＧ  ＩＤを報告する異なる方法に応じて、管理ＮＥによってアクセスＮＥに送信される応答メッセージは、セットアップ応答メッセージ（Ｉｕインタフェースセットアップ要求又はＳ１インタフェースセットアップ要求に対する応答）、又はＣＳＧ通知応答メッセージである。
【００４２】
ステップ３３：管理ＮＥは、ＣＳＧ  ＩＤに従って、ページングされるアクセスＮＥを取得する。このステップは、少なくとも以下の２つの処理方法を含む。
【００４３】
処理方法１
ステップ３３１１：管理ＮＥは、ページングされるＣＳＧ  ＩＤを取得する。管理ＮＥは、最初に、ＵＥの許可されたＣＳＧリスト及びモビリティリストのうちの少なくとも１つを介して、ページングされるＣＳＧ  ＩＤを取得する。
【００４４】
ページングされるＣＳＧ  ＩＤは、少なくとも以下の２つのやり方で取得されることが可能である。
【００４５】
第１のやり方は、ＵＥの許可されたＣＳＧリスト内のＣＳＧ  ＩＤを、ページングされるＣＳＧ  ＩＤとみなすというものである。
【００４６】
ＵＥの許可されたＣＳＧリスト情報の加入データは、ホーム加入者サーバ（ＨＳＳ）内に記憶される。管理ＮＥは、許可されたＣＳＧリストをＨＳＳから取得する。ＣＳＧリスト内のＣＳＧ  ＩＤによって識別されるエリアは、ページングされるＵＥによって使用される可能性があるエリアである。このＣＳＧ  ＩＤは、ページングされるＣＳＧ  ＩＤとみなされる。
【００４７】
第２のやり方は、ＵＥの許可されたＣＳＧリスト内のＣＳＧ  ＩＤに対応する位置エリアＩＤが、ＵＥのモビリティリスト内にあるかどうかを判定するというものである。位置エリアＩＤがモビリティリスト内にある場合、そのＣＳＧ  ＩＤを、ページングされるＣＳＧ  ＩＤとみなす。管理ＮＥは、ページングされるＣＳＧ  ＩＤを、以下の手法で取得してもよい。
【００４８】
１）管理ＮＥは、アクセスＮＥによって報告された位置エリアＩＤ及びＣＳＧ  ＩＤに従って、ＣＳＧ  ＩＤに対応する位置エリアＩＤを取得する。ＵＥの許可されたＣＳＧリスト内の各ＣＳＧ  ＩＤについて、管理ＮＥは、ＣＳＧ  ＩＤに対応する位置エリアＩＤを照会し、位置エリアＩＤがＵＥのモビリティリスト内にあるかどうかを判定する。位置エリアＩＤがＵＥのモビリティリスト内にある場合、管理ＮＥは、そのＣＳＧ  ＩＤを、ページングされるＣＳＧ  ＩＤとみなす。
【００４９】
２）管理ＮＥは、アクセスＮＥによって報告された位置エリアＩＤ及びＣＳＧ  ＩＤに従って、位置エリアＩＤによって使用されるＣＳＧ  ＩＤを取得する。管理ＮＥは、ＵＥのモビリティリスト内の各位置エリアＩＤを照会し、位置エリアＩＤによって使用される各ＣＳＧ  ＩＤが、ＵＥの許可されたＣＳＧリスト内にあるかどうかを判定し、ＣＳＧ  ＩＤがＵＥの許可されたＣＳＧリスト内にある場合、管理ＮＥは、そのＣＳＧ  ＩＤを、ページングされるＣＳＧ  ＩＤとみなす。
【００５０】
上記の第２のやり方では、ＵＥの許可されたＣＳＧリストとＵＥのモビリティリストとの両方が使用される。ＵＥの許可されたＣＳＧリスト内のＣＳＧ  ＩＤに対応する位置エリアＩＤがＵＥのモビリティリスト内にある場合のみ、このＣＳＧ  ＩＤはページングされるＣＳＧ  ＩＤとみなされる。ページングされるＣＳＧ  ＩＤを判定する第２のやり方は、ページングメッセージを送信する範囲を更に減少させ、不必要なページングメッセージを効果的に減少させる。
【００５１】
ステップ３３１２：アクセスＮＥからのＣＳＧ  ＩＤがページングされるＣＳＧ  ＩＤに一致する場合、管理ＮＥは、そのアクセスＮＥを、ページングされるアクセスＮＥとみなす。
【００５２】
管理ＮＥは、以下の動作を実行してもよい。１）管理ＮＥは、ページングされるＣＳＧ  ＩＤに従って、管理ＮＥによってサポートされるアクセスＮＥ内のＣＳＧ  ＩＤがページングされるＣＳＧ  ＩＤと一致するかどうかを照会する。それらが一致する場合、管理ＮＥは、ページングメッセージをそのアクセスＮＥに送信する。
【００５３】
２）管理ＮＥは、アクセスＮＥによって報告されたＣＳＧ  ＩＤに従って、ＣＳＧ  ＩＤデータテーブルを事前に生成する。データテーブルは、ＣＳＧ  ＩＤと、ＣＳＧ  ＩＤに対応するアクセスＮＥに関する情報とを含む。管理ＮＥは、ページングされるＣＳＧ  ＩＤに従って、ＣＳＧ  ＩＤデータテーブルを照会して、ＣＳＧ  ＩＤに対応するアクセスＮＥに関する情報を取得する。管理ＮＥは、ページングメッセージをアクセスＮＥに送信する。
【００５４】
処理方法２
アクセスＮＥからのＣＳＧ  ＩＤがＵＥの許可されたＣＳＧリスト内のＣＳＧ  ＩＤに一致する場合、管理ＮＥはそのアクセスＮＥをページングされるアクセスＮＥとみなす。
【００５５】
処理方法２では、アクセスＮＥによって報告されたＣＳＧ  ＩＤ及び位置エリアＩＤに従ってページングされるＣＳＧ  ＩＤが事前に取得される必要はなく、加えて、ページングメッセージの送信先のアクセスＮＥが探し出される必要はない。管理ＮＥによってページングメッセージが送信される際に、管理ＮＥは、各アクセスＮＥについて、アクセスＮＥによって報告されたＣＳＧ  ＩＤに従って、ＣＳＧ  ＩＤがＵＥの許可されたＣＳＧリスト内にあるかどうかを直ちに照会する。そのＣＳＧ  ＩＤが許可されたＣＳＧリスト内にある場合、管理ＮＥはページングメッセージをそのアクセスＮＥに送信する。
【００５６】
本開示の実施形態２は、以下を更に含む。ＣＳＧ  ＩＤがＵＥの許可されたＣＳＧリスト内にあることを確認した後で、管理ＮＥはＣＳＧ  ＩＤに対応する位置エリアＩＤがＵＥのモビリティリスト内にあるかどうかを照会する。その位置エリアＩＤがモビリティリスト内にある場合、管理ＮＥはページングメッセージを対応するアクセスＮＥに送信する。
【００５７】
ステップ３４：管理ＮＥはページングメッセージをページングされるアクセスＮＥに送信する。
【００５８】
管理ＮＥがページングメッセージをページングされるアクセスＮＥに送信し、次に、アクセスＮＥがページングメッセージを送信する（例えば、エアインタフェースを介してページングメッセージをブロードキャストする）。
【００５９】
別のページング方法では、図４に示すように、アクセスＮＥと管理ＮＥとがアクセスＧＷを介して接続される。
【００６０】
ステップ４１：アクセスＮＥはＣＳＧ  ＩＤをアクセスＧＷに報告する。
【００６１】
アクセスＮＥは、上記の方法１及び方法２を使用してＣＳＧ  ＩＤをアクセスＧＷに報告する。同時に、アクセスＮＥはアクセスＮＥの位置エリアＩＤも報告するが、これについてはここでは説明しない。
【００６２】
ステップ４２：アクセスＧＷは応答メッセージをアクセスＮＥに送信する。
【００６３】
アクセスＧＷからアクセスＮＥに送信される応答メッセージは、異なる報告方法に応じてセットアップ応答メッセージ又はＣＳＧ通知応答メッセージである（ステップ３２の説明を参照）。アクセスＮＥのＣＳＧ  ＩＤ及び位置エリアＩＤはアクセスＧＷ内に記憶される。
【００６４】
ステップ４３：アクセスＧＷは、アクセスＧＷによってサポートされるＣＳＧ  ＩＤを管理ＮＥに報告する。
【００６５】
アクセスＧＷは、上記の方法１及び方法２を使用して、アクセスＧＷによってサポートされるＣＳＧ  ＩＤを管理ＮＥに更に報告してもよい。同時に、アクセスＧＷは、アクセスＧＷによってサポートされる位置エリアＩＤも管理ＮＥに報告する。アクセスＧＷによってサポートされる位置エリアＩＤは、アクセスＧＷによって管理されるアクセスＮＥによってサポートされる位置エリアＩＤである。アクセスＧＷによってサポートされるＣＳＧ  ＩＤは、アクセスＧＷによって管理されるアクセスＮＥによってサポートされるＣＳＧ  ＩＤである。
【００６６】
ステップ４４：管理ＮＥは応答メッセージをアクセスＧＷに送信する。
【００６７】
管理ＮＥからアクセスＧＷに送信される応答メッセージは、異なる報告方法に応じたセットアップ応答メッセージ又はＣＳＧ通知応答メッセージである。
【００６８】
ステップ４５：管理ＮＥは、ページングされるアクセスＧＷを取得する。
【００６９】
ステップ４５におけるページングされるアクセスＧＷを取得する方法については、ステップ３３を参照されたい。
【００７０】
ステップ４６：管理ＮＥは、ページングメッセージをアクセスＧＷに送信する。
【００７１】
管理ＮＥは、ページングメッセージを、ページングされるＣＳＧ  ＩＤに対応するアクセスＧＷに送信する。ページングメッセージは、ページングされるＣＳＧ  ＩＤを含む。
【００７２】
ステップ４７：アクセスＧＷは、ページングメッセージをアクセスＮＥに送信する。
【００７３】
アクセスＧＷは、ページングメッセージ内に含まれるＣＳＧ  ＩＤに従って、ＣＳＧ  ＩＤに対応するアクセスＮＥを照会し、ページングメッセージをアクセスＮＥに送信し、次に、アクセスＮＥは、ページングメッセージを送信する（例えば、エアインタフェースを介してページングメッセージをブロードキャストする）。アクセスＧＷは、以下の動作を実行してもよい。（１）アクセスＧＷは、ページングメッセージ内に含まれるＣＳＧ  ＩＤに従って、そのサポートされるアクセスＮＥのＣＳＧ  ＩＤがページングメッセージ内に含まれるＣＳＧ  ＩＤと一致するかどうかを照会する。それらが一致する場合、アクセスＧＷは、ページングメッセージをそのアクセスＮＥに送信する。
【００７４】
２）管理ＧＷは、アクセスＮＥによって報告されたＣＳＧ  ＩＤに従って、ＣＳＧ  ＩＤデータテーブルを生成する。データテーブルは、ＣＳＧ  ＩＤと、ＣＳＧ  ＩＤに対応するアクセスＮＥに関する情報とを含む。アクセスＧＷは、ページングメッセージ内に含まれるＣＳＧ  ＩＤに従って、ＣＳＧ  ＩＤデータテーブルを照会し、ＣＳＧ  ＩＤに対応するアクセスＮＥに関する情報を取得する。アクセスＧＷは、ページングメッセージをそのアクセスＮＥに送信する。
【００７５】
本開示の実施形態２によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージと、システムリソース消費とが効果的に減少させられる。
【００７６】
本開示の実施形態３は、ページング方法を提供する。方法は、
管理ＮＥによって、アクセスＮＥ又はアクセスＧＷからＣＳＧ指示情報を受信し、
管理ＮＥによって、ＣＳＧ指示情報に従って、ＣＳＧ機能をサポートするアクセスＮＥ又はアクセスＧＷにページングメッセージを送信することを含み、ここで、ページングメッセージは、ＵＥの許可されたＣＳＧリストを含む。
【００７７】
上記の指示情報は、アクセスＮＥ又はアクセスＧＷがＣＳＧ機能（いくつかの実施形態では、機能の代わりにメカニズムも使用され、以下では統一のために機能を使用する）をサポートするかどうかを示す。すなわち、アクセスＮＥ又はアクセスＧＷは、ＵＥのグループのみのアクセスを許可し、このグループ内にない他のＵＥはアクセスを許可されない。
【００７８】
本開示の実施形態３によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【００７９】
本開示の実施形態４は、ページング方法を提供し、方法は、
アクセスネットワーク要素（ＮＥ）又はアクセスＧＷによって、管理ＮＥからページングメッセージを受信し、ページングメッセージは、ユーザ装置（ＵＥ）の許可された限定加入者グループ（ＣＳＧ）を含み、
アクセスＮＥ又はアクセスＧＷによって、サポートされるＣＳＧ  ＩＤが許可されたＣＳＧリスト内にあるかどうかを判定し、サポートされるＣＳＧ  ＩＤが許可されたＣＳＧリスト内にある場合、アクセスＮＥ又はアクセスＧＷによって、ページングメッセージを送信することを含む。
【００８０】
本開示の実施形態４によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【００８１】
以下のセクションでは、実施形態５において提供されるページング方法について説明する。実施形態５は、ページングプロセスに関与するネットワークエンティティの接続モードが異なるという点で相互に異なる少なくとも２つのページング方法を提供する。
【００８２】
１つのページング方法では、図５に示すように、アクセスＮＥと管理ＮＥとが直接接続される。
【００８３】
ステップＴ１：アクセスゲートウェイは、ＣＳＧ指示情報を管理ＮＥに報告する。
【００８４】
アクセスＮＥは、ＣＳＧ指示情報を管理ＮＥに報告し、ＣＳＧ指示情報は、アクセスＮＥがＣＳＧ機能をサポートするかどうかを指示する。ＣＳＧ機能を使用するアクセスＮＥと、ＣＳＧ機能を使用しないアクセスＮＥとの両方が、ネットワーク上に存在するため、管理ＮＥは、ＣＳＧ指示情報に従って、アクセスＮＥがＣＳＧ機能をサポートするかどうかを取得する。
【００８５】
ＣＳＧ指示情報は、セットアップ要求メッセージを介して報告される。例えば、Ｅ−ＵＴＲＡＮの場合、アクセスＮＥは、Ｓ１インタフェースセットアップ要求メッセージを管理ＮＥ（例えば、ＭＭＥ）に送信し、情報は、アクセスＮＥによってサポートされるＴＡ及びＣＳＧ指示情報を含み、ＵＴＲＡＮの場合、アクセスＮＥは、Ｉｕインタフェースセットアップ要求メッセージを、管理ＮＥ（例えば、ＳＧＳＮ）に送信し、ここで、メッセージは、アクセスＮＥによってサポートされるＲＡ及びＣＳＧ指示情報を含む。セットアップ要求情報によって含まれるＣＳＧ指示情報は、以下のように処理されてもよい。
【００８６】
１）セットアップ要求メッセージは、ＣＳＧインジケータ情報要素（ＩＥ）を含み、ＩＥは、アクセスＮＥがＣＳＧ機能をサポートすることを表す。セットアップ要求メッセージ内にそのようなＩＥがない場合、それは、アクセスＮＥがＣＳＧ機能をサポートしないことを意味する。
【００８７】
２）セットアップ要求メッセージ内にＣＳＧタイプＩＥを含める。ＣＳＧタイプＩＥは、２つの値を有する。
０：ＣＳＧ機能がサポートされないことを示す。
１：ＣＳＧ機能がサポートされることを示す。
【００８８】
アクセスＮＥがＣＳＧ機能をサポートする場合、ＩＥの値を１に設定し、サポートしない場合、ＩＥの値を０に設定する。
【００８９】
ステップＴ２：管理ＮＥは、応答メッセージをアクセスＮＥに送信する。
【００９０】
応答メッセージは、セットアップ応答メッセージである。
【００９１】
ステップＴ３：管理ＮＥは、ＣＳＧ指示情報に従って、アクセスＮＥがＣＳＧ機能をサポートするかどうかを判定する。
【００９２】
ステップＴ４：アクセスＮＥがＣＳＧ機能をサポートする場合、アクセスＮＥは、ページングメッセージをアクセスＮＥに送信し、メッセージは、ＵＥの許可されたＣＳＧリストを含む。
【００９３】
ＣＳＧ機能をサポートしないアクセスＮＥに送信されるページングメッセージは、ＵＥの許可されたＣＳＧリストを含まない。
【００９４】
ステップＴ５：アクセスＮＥは、管理ＮＥからページングメッセージを受信し、アクセスＮＥによってサポートされるＣＳＧ  ＩＤが許可されたＣＳＧリスト内にあるかどうかを判定し、ＣＳＧ  ＩＤが許可されたＣＳＧリスト内にある場合、アクセスＮＥは、ページングメッセージを送信する。
【００９５】
本開示の実施形態では、ＵＥの許可されたＣＳＧリスト内のＣＳＧ  ＩＤが、ページングされるＣＳＧ  ＩＤとみなされる。具体的には、アクセスＮＥは、そのサポートされるＣＳＧ  ＩＤが許可されたＣＳＧリスト内のＣＳＧ  ＩＤに一致するかどうかを判定する。これにより、ページングメッセージが送信されるエリアが狭められ、従って、ページングメッセージの数が減少する。
【００９６】
別のページング方法では、図６に示すように、アクセスＮＥと管理ＮＥとがアクセスＧＷを介して接続される。
【００９７】
ステップＳ１：アクセスＮＥは、その使用される位置エリアＩＤとＣＳＧ  ＩＤとをアクセスＧＷに報告する。
【００９８】
アクセスＮＥによって使用される位置エリアＩＤとＣＳＧ  ＩＤとを報告する方法については、ステップ２１内の方法１及び方法２を参照されたい。
【００９９】
ステップＳ２：アクセスＧＷは、応答メッセージをアクセスＮＥに送信する。
【０１００】
異なる報告方法に応じて、送信される応答メッセージはセットアップ応答メッセージ又はＣＳＧ通知応答メッセージであり、アクセスＧＷはＣＳＧ  ＩＤ及び位置エリアＩＤを記憶する。
【０１０１】
ステップＳ３：アクセスＧＷは、ＣＳＧ指示情報を管理ＮＥに報告する。アクセスＧＷは、ＣＳＧ指示情報をセットアップ要求メッセージを介して報告する。例えば、Ｅ−ＵＴＲＡＮの場合、アクセスＧＷは、Ｓ１セットアップ要求メッセージを管理ＮＥ（ＭＭＥ）に送信し、ここで、メッセージは、アクセスＮＥによってサポートされるＴＡ及びＣＳＧ指示情報を含み、ＵＴＲＡＮの場合、アクセスＧＷは、Ｉｕセットアップ要求メッセージを管理ＮＥに送信し、ここで、メッセージは、アクセスＧＷによってサポートされるＲＡ及びＣＳＧ指示情報を含む。ＣＳＧ指示情報は、以下のように処理されてもよい。
【０１０２】
１）ＣＳＧインジケータＩＥがセットアップ要求メッセージ内に含まれ、ここで、ＩＥは、アクセスＧＷによってサポートされるＣＳＧ機能を表す。セットアップ要求メッセージがこのＩＥが含まない場合、それは、アクセスＧＷがＣＳＧ機能をサポートしないことを示す。
【０１０３】
２）ＣＳＧタイプＩＥがセットアップ要求メッセージ内に含まれる。ＣＳＧタイプＩＥは２つの値を有する。
０：０：ＣＳＧ機能がサポートされないことを示す。
１：ＣＳＧ機能がサポートされることを示す。
【０１０４】
アクセスＧＷがＣＳＧ機能をサポートする場合、ＩＥの値は１に設定され、それ以外の場合、ＩＥの値は０に設定される。
【０１０５】
ステップＳ４：管理ＮＥは、応答メッセージをアクセスＧＷに送信する。
【０１０６】
ステップＳ５：管理ＮＥは、ＣＳＧ指示情報に従って、アクセスＧＷがＣＳＧ機能をサポートするかどうかを判定する。
【０１０７】
ステップＳ６：アクセスＧＷがＣＳＧ機能をサポートする場合、ＵＥの許可されたＣＳＧリストを含むページングメッセージがアクセスＧＷに送信される。アクセスＧＷがＣＳＧ機能をサポートしない場合、ＵＥの許可されたＣＳＧリストを含まないページングメッセージがアクセスＧＷに送信される。
【０１０８】
ステップＳ７：アクセスＧＷは、管理ＮＥからページングメッセージを受信し、アクセスＧＷによってサポートされるＣＳＧ  ＩＤが許可されたＣＳＧリスト内にあるかどうかを判定する。
【０１０９】
ステップＳ８：アクセスＧＷによってサポートされるＣＳＧ  ＩＤが許可されたＣＳＧリスト内にある場合、アクセスＧＷは、ページングメッセージをＣＳＧ  ＩＤに対応する管理ＮＥに送信する。
【０１１０】
本開示の実施形態５によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【０１１１】
本開示の実施形態１は、ＮＥも提供する。図７に示すように、ＮＥは、
ＮＥをサポートしたＣＳＧ  ＩＤを報告するように構成された報告ユニット７１と、
ページングメッセージを受信し、ページングメッセージを送信するように構成された受信及び送信ユニット７２と、を含む。
【０１１２】
上記のＮＥは、アクセスＮＥ及びアクセスＧＷを介して実施されてもよい。アクセスＧＷが使用される場合、管理ＮＥは、ページングされるＣＳＧ  ＩＤを含むページングメッセージをアクセスＧＷに送信する。ＮＥは、受信及び送信ユニット７２によって受信されたページングメッセージ内のＣＳＧ  ＩＤに従って、対応するアクセスＮＥを取得するように構成され、ページングメッセージをアクセスＮＥに送信するよう受信及び送信ユニット７２をトリガするように構成された取得ユニットを更に含む。
【０１１３】
上記のＮＥ内の各機能エンティティの具体的な動作モードについては、本開示の方法実施形態を参照されたい。
【０１１４】
本開示の実施形態１は、管理ＮＥを提供する。図８に示すように、管理ＮＥは、
アクセスＮＥ又はアクセスＧＷから、アクセスＮＥ又はアクセスＧＷによってサポートされるＣＳＧ  ＩＤを受信するように構成された受信ユニット８１と、
受信ユニット８１によって受信されたＣＳＧ  ＩＤに従って、ページングされるアクセスＮＥ又はアクセスＧＷを取得するように構成されたページングＮＥ取得ユニット８２と、
ページングＮＥ取得ユニット８２によって取得されたアクセスＮＥ又はアクセスＧＷにページングメッセージを送信するように構成されたページング処理ユニット８３と、を含む。
【０１１５】
更に、ページングＮＥ取得ユニット８２は、ページングされるＣＳＧ  ＩＤを取得し、アクセスＮＥ又はアクセスＧＷのＣＳＧ  ＩＤがページングされるＣＳＧ  ＩＤに一致する場合、アクセスＮＥ又はアクセスＧＷを、ページングされるアクセスＮＥ又はアクセスＧＷとみなすように更に構成されるか、または、
ページングＮＥ取得ユニット８２は、アクセスＮＥ又はアクセスＧＷによってサポートされるＣＳＧ  ＩＤがＵＥの許可されたＣＳＧリスト内のＣＳＧ  ＩＤに一致する場合、アクセスＮＥ又はアクセスＧＷを、ページングされるアクセスＮＥ又はアクセスＧＷとみなすように更に構成される。
【０１１６】
上記の管理ＮＥ内の各機能エンティティの具体的な動作モードについては、本開示の方法実施形態を参照されたい。
【０１１７】
本開示の実施形態によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【０１１８】
本開示の実施形態２は、ＮＥを提供する。図９に示すように、ＮＥは、
ＮＥのＣＳＧ指示情報を報告するように構成された報告ユニット９１と、
管理ＮＥからページングメッセージを受信するように構成された受信ユニット９２と、ここで、ページングメッセージは、ＵＥの許可されたＣＳＧリストを含み、
ＮＥによってサポートされるＣＳＧ  ＩＤが許可されたＣＳＧリスト内にあるかどうかを判定し、ＣＳＧ  ＩＤが許可されたＣＳＧリスト内にある場合、ページングメッセージを送信するように構成されたページング処理ユニット９３と、を含む。
【０１１９】
上記のＮＥ内の各機能エンティティの具体的な動作モードについては、本開示の実施形態を参照されたい。
【０１２０】
本開示の実施形態２は、管理ＮＥも提供する。図１０に示すように、管理ＮＥは、
アクセスＮＥ又はアクセスＧＷからＣＳＧ指示情報を受信するように構成された受信ユニット１０１と、
ＣＳＧ指示情報に従って、ＣＳＧ機能をサポートするアクセスＮＥ又はアクセスＧＷにページングメッセージを送信するように構成されたページング処理ユニット１０２と、を含み、ここで、ページングメッセージは、ＵＥの許可されたＣＳＧリストを含む。
【０１２１】
上記の管理ＮＥ内の各機能エンティティの具体的な動作モードについては、本開示の方法実施形態を参照されたい。
【０１２２】
本開示の実施形態によって提供される技術的解決法を使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【０１２３】
本開示の実施形態１は、通信システムを提供する。図１１に示すように、通信システムは、アクセスＮＥ１１０１と、管理ＮＥ１１０２と、を含む。
【０１２４】
アクセスＮＥ１１０１は、アクセスＮＥ１１０１によってサポートされるＣＳＧ  ＩＤを管理ＮＥ１１０２に報告し、管理ＮＥ１１０２からページングメッセージを受信し、ページングメッセージを送信するように構成されるか、または、
アクセスＮＥ１１０１は、ＣＳＧ指示情報を管理ＮＥ１１０１に管理ＮＥ１１０２に報告し、管理ＮＥ１１０２からＵＥの許可されたＣＳＧリストを受信し、サポートされるＣＳＧ  ＩＤが許可されたＣＳＧリスト内にあるかどうかを判定し、ＣＳＧ  ＩＤが許可されたＣＳＧリスト内にある場合、ページングメッセージを送信するように構成される。
【０１２５】
管理ＮＥ１１０２は、アクセスＮＥ１１０１によってサポートされるＣＳＧ  ＩＤを受信し、ＣＳＧ  ＩＤが、ページングされるＣＳＧ  ＩＤに一致するか、又は、ＵＥの許可されたＣＳＧリスト内のＣＳＧ  ＩＤに一致する場合、ページングメッセージを、対応するアクセスＮＥ１１０１に送信するように構成されるか、または、
管理ＮＥ１１０２は、ＣＳＧ指示情報を受信し、ＣＳＧ機能をサポートするアクセスＮＥ１１０１にページングメッセージを送信するように構成され、ここで、ページングメッセージは、ＵＥの許可されたＣＳＧリストを含む。
【０１２６】
本開示の実施形態２は、通信システムを提供する。図１２に示すように、通信システムは、アクセスＮＥ１２０１と、アクセスＧＷ１２０２と、管理ＮＥ１２０３と、を含む。アクセスＮＥ１２０１は、アクセスＮＥ１２０１によってサポートされるＣＳＧ  ＩＤをアクセスＧＷ１２０２に報告し、アクセスＧＷからページングメッセージを受信し、ページングメッセージを送信するように構成される。
【０１２７】
アクセスＧＷ１２０２は、ＧＷ１２０２のＣＳＧ  ＩＤを管理ＮＥ１２０３に報告し、管理ＮＥ１２０３からページングメッセージを受信し、ページングメッセージ内に含まれるＣＳＧ  ＩＤを使用して、アクセスＮＥ１２０１にページングメッセージを送信するように構成されるか、または、
アクセスＧＷ１２０２は、アクセスＧＷ１２０２のＣＳＧ指示情報を管理ＮＥ１２０３に報告し、管理ＮＥ１２０３からＵＥの許可されたＣＳＧリストを受信し、サポートされるＣＳＧのＩＤが許可されたＣＳＧリスト内にあるかどうかを判定し、ＣＳＧ  ＩＤが許可されたＣＳＧリスト内にある場合、ページングメッセージをＣＳＧ  ＩＤに対応するアクセスＮＥ１２０２に送信するように構成される。
【０１２８】
管理ＮＥ１２０３は、アクセスＧＷ１２０２によって報告されたＣＳＧ  ＩＤメッセージを受信し、ＣＳＧ  ＩＤがページングされるＣＳＧ  ＩＤに一致するかどうかを判定し、ＣＳＧ  ＩＤがページングされるＣＳＧ  ＩＤに一致する場合、ページングメッセージをアクセスＧＷ１２０２に送信するように構成されるか、または、
管理ＮＥ１２０３は、アクセスＧＷ１２０２によって報告されたＣＳＧ指示情報を受信し、ＣＳＧ指示情報に従って、ＣＳＧ機能をサポートするアクセスＧＷ１２０２にページングメッセージを送信するように構成され、ここで、ページングメッセージは、ＵＥの許可されたＣＳＧリストを含む。
【０１２９】
本開示の実施形態によって提供される通信システムを使用すれば、ページングされるＵＥの許可されたＣＳＧリストを介して、ページングメッセージが、ＵＥによって使用される可能性がある特定のエリア内に送信される。これにより、モビリティリスト内の全ての位置エリアの全てのＣＳＧエリア内にページングメッセージが送信される必要があるという理由でリソースが浪費されるという従来技術の問題が解決される。従って、ページングメッセージとシステムリソース消費とが効果的に減少させられる。
【０１３０】
当業者は、上記の実施形態における手順の全部又は一部を理解できる。手順は、プログラムコマンドの関連ハードウェアを介して実施されることが可能である。実施形態の、対応するソフトウェアは、記憶されること及び読み出されることが可能なコンピュータ媒体内に記憶されてもよい。
【０１３１】
結論として、上記は、本開示の例示的実施形態にすぎない。本開示の範囲は、それらの例示的実施形態に限定されない。本開示の技術範囲内の当業者に容易に明らかとなる変形又は置換は、本開示の範囲内に入る。従って、本開示の保護範囲は、添付の特許請求の範囲によって規定される。
本出願は、２００８年９月２８日に出願された、「Ｐａｇｉｎｇ  Ｍｅｔｈｏｄ，Ｎｅｔｗｏｒｋ  Ｅｌｅｍｅｎｔ，Ｍａｎａｇｅｍｅｎｔ  Ｎｅｔｗｏｒｋ  Ｅｌｅｍｅｎｔ，ａｎｄ  Ｃｏｍｍｕｎｉｃａｔｉｏｎ  Ｓｙｓｔｅｍ（ページング方法、ネットワーク要素、管理ネットワーク要素、及び通信システム）」と題された、中国特許出願第２００８１０１６９２１７．Ｘ号、及び、２００８年８月７日に出願された、「Ｐａｇｉｎｇ  Ｍｅｔｈｏｄ，Ｎｅｔｗｏｒｋ  Ｅｌｅｍｅｎｔ，Ｍａｎａｇｅｍｅｎｔ  Ｎｅｔｗｏｒｋ  Ｅｌｅｍｅｎｔ，ａｎｄ  Ｃｏｍｍｕｎｉｃａｔｉｏｎ  Ｓｙｓｔｅｍ（ページング方法、ネットワーク要素、管理ネットワーク要素、及び通信システム）」と題された、中国特許出願第２００８１０１３５２７７．Ｘ号の優先権を主張するものであり、当該両出願は、それらの全体が参照によって本明細書中に援用される。
【図１】
2011530250.tif 000003
【図２】
2011530250.tif 000004
【図３】
2011530250.tif 000005
【図４】
2011530250.tif 000006
【図５】
2011530250.tif 000007
【図６】
2011530250.tif 000008
【図７】
2011530250.tif 000009
【図８】
2011530250.tif 000010
【図９】
2011530250.tif 000011
【図１０】
2011530250.tif 000012
【図１１】
2011530250.tif 000013
【図１２】
2011530250.tif 000014
【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
アクセスネットワーク要素（ＮＥ）から送信された該アクセスＮＥによってサポートされる限定加入者グループ（ＣＳＧ）識別子（ＩＤ）を、又は、アクセスゲートウェイ（ＧＷ）から送信された該アクセスＧＷによってサポートされるＣＳＧ  ＩＤを受信することと、
前記アクセスＮＥによってサポートされるＣＳＧ  ＩＤに従ってページングされるアクセスＮＥを、又は、前記アクセスＧＷによってサポートされるＣＳＧ  ＩＤに従ってページングされるアクセスＧＷを取得することと、
前記取得されたページングされるアクセスＮＥ又はアクセスＧＷにページングメッセージを送信することと、
を含む、ページング方法。
【請求項２】
前記アクセスＮＥによってサポートされるＣＳＧ  ＩＤに従ってページングされるアクセスＮＥを取得することは、
ページングされるＣＳＧ  ＩＤを取得することであって、前記アクセスＮＥによってサポートされるＣＳＧ  ＩＤがページングされるＣＳＧ  ＩＤに一致する場合、前記アクセスＮＥはページングされるアクセスＮＥである、前記ページングされるＣＳＧ  ＩＤを取得すること、または、
ユーザ装置（ＵＥ）の許可されたＣＳＧリストを取得することであって、前記アクセスＮＥによってサポートされるＣＳＧ  ＩＤが前記ＵＥの許可されたＣＳＧリスト内のＣＳＧ  ＩＤに一致する場合、前記アクセスＮＥはページングされるアクセスＮＥである、前記ユーザ装置（ＵＥ）の許可されたＣＳＧリストを取得すること
を含む、請求項１に記載の方法。
【請求項３】
前記アクセスＧＷによってサポートされるＣＳＧ  ＩＤに従ってページングされるアクセスＧＷを取得することは、
ページングされるＣＳＧ  ＩＤを取得することであって、前記アクセスＧＷによってサポートされるＣＳＧ  ＩＤがページングされるＣＳＧ  ＩＤに一致する場合、前記アクセスＧＷはページングされるアクセスＧＷである、前記ページングされるＣＳＧ  ＩＤを取得すること、または、
ＵＥの許可されたＣＳＧリストを取得することであって、前記アクセスＧＷによってサポートされるＣＳＧ  ＩＤが前記ＵＥの許可されたＣＳＧリスト内のＣＳＧ  ＩＤに一致する場合、前記アクセスＧＷはページングされるアクセスＧＷである、前記ＵＥの許可されたＣＳＧリストを取得すること
を含む、請求項１に記載の方法。
【請求項４】
前記ページングされるＣＳＧ  ＩＤを取得することは、
前記ＵＥの許可されたＣＳＧリスト内のＣＳＧ  ＩＤを、ページングされるＣＳＧ  ＩＤとみなすこと、または
前記ＵＥの許可されたＣＳＧリスト内のＣＳＧ  ＩＤに対応する位置エリアＩＤが前記ＵＥのモビリティリスト内にあるかどうかを判定し、前記位置ＩＤが前記モビリティリスト内にある場合、前記ＣＳＧ  ＩＤをページングされるＣＳＧ  ＩＤとみなすこと
を含む、請求項２又は３に記載の方法。
【請求項５】
アクセスＮＥから送信された該アクセスＮＥによってサポートされるＣＳＧ  ＩＤを受信することは、
前記アクセスＮＥから送信されたＣＳＧ  ＩＤを含むセットアップ要求メッセージを受信すること、または、
前記アクセスＮＥから送信されたＣＳＧ  ＩＤを含む通知要求メッセージを受信すること
を含む、請求項１に記載の方法。
【請求項６】
アクセスＧＷから送信されたアクセスＧＷによってサポートされるＣＳＧ  ＩＤを受信することは、
前記アクセスＧＷから送信されたＣＳＧ  ＩＤを含むセットアップ要求メッセージを受信すること、または、
前記アクセスＧＷから送信されたＣＳＧ  ＩＤを含む通知要求メッセージを受信すること
を含む、請求項１に記載の方法。
【請求項７】
前記ページングされるアクセスＮＥにページングメッセージを送信することは、
前記ページングメッセージを前記アクセスＮＥに直接送信すること、または、
前記ページングメッセージを前記アクセスＧＷに送信することであって、前記ページングメッセージはページングされるＣＳＧ  ＩＤを含み、前記アクセスＧＷは前記ＣＳＧ  ＩＤに従って前記ＣＳＧ  ＩＤをサポートするアクセスＮＥに前記ページングメッセージを送信し、前記アクセスＮＥによってサポートされるＣＳＧ  ＩＤを前記アクセスＮＥによって報告される情報から取得する、前記前記ページングメッセージを前記アクセスＧＷに送信すること
を含む、請求項１〜６のいずれか一項に記載の方法。
【請求項８】
管理ネットワーク要素（ＮＥ）であって、
アクセスＮＥから送信された該アクセスＮＥによってサポートされる限定加入者グループ（ＣＳＧ）ＩＤを受信するように、又は、アクセスゲートウェイ（ＧＷ）から送信された前記アクセスＧＷによってサポートされるＣＳＧ  ＩＤを受信するように構成された受信ユニットと、
前記アクセスＮＥによってサポートされるＣＳＧ  ＩＤに従ってページングされるアクセスＮＥを取得するように、又は、前記アクセスＧＷによってサポートされるＣＳＧ  ＩＤに従ってページングされるアクセスＧＷを取得するように構成されたページングＮＥ取得ユニットと、
前記取得されたページングされるアクセスＮＥ又はアクセスＧＷにページングメッセージを送信するように構成されたページングユニットと、
を備える、ＮＥ。
【請求項９】
前記ページングＮＥ取得ユニットは、ページングされるＣＳＧ  ＩＤを取得し、前記アクセスＮＥによってサポートされるＣＳＧ  ＩＤがページングされるＣＳＧ  ＩＤに一致する場合、前記アクセスＮＥをページングされるアクセスＮＥとみなすように更に構成されるか、または、
前記ページングＮＥ取得ユニットは、前記アクセスＮＥによってサポートされるＣＳＧ  ＩＤがユーザ装置（ＵＥ）の許可されたＣＳＧリスト内のＣＳＧ  ＩＤに一致する場合、前記アクセスＮＥをページングされるアクセスＮＥとみなすように更に構成される、
請求項８に記載の管理ＮＥ。
【請求項１０】
前記ページングＮＥ取得ユニットは、ページングされるＣＳＧ  ＩＤを取得し、前記アクセスＧＷによってサポートされるＣＳＧ  ＩＤがページングされるＣＳＧ  ＩＤに一致する場合、前記アクセスＧＷをページングされるアクセスＧＷとみなすように更に構成されるか、または、
前記ページングＮＥ取得ユニットは、前記アクセスＧＷによってサポートされるＣＳＧ  ＩＤがユーザ装置（ＵＥ）の許可されたＣＳＧリスト内のＣＳＧ  ＩＤに一致する場合、前記アクセスＧＷをページングされるアクセスＧＷとみなすように更に構成される、
請求項８に記載の管理ＮＥ。
【請求項１１】
アクセスネットワーク要素（ＮＥ）によってサポートされる限定加入者グループ（ＣＳＧ）ＩＤを管理ＮＥに報告し、前記管理ＮＥからページングメッセージを受信し、前記ページングメッセージを送信するように構成されるか、または、ＣＳＧ指示情報を前記管理ＮＥに報告し、前記管理ＮＥからユーザ装置（ＵＥ）の許可されたＣＳＧリストを受信し、アクセスＮＥによってサポートされるＣＳＧ  ＩＤが前記許可されたＣＳＧリスト内にあるかどうかを判定し、ＣＳＧ  ＩＤが前記許可されたＣＳＧリスト内にある場合、ページングメッセージを送信するように構成された前記アクセスＮＥと、
前記アクセスＮＥによってサポートされるＣＳＧ  ＩＤを受信し、前記ＣＳＧ  ＩＤが、ページングされるＣＳＧ  ＩＤに一致するか、若しくは、前記ＵＥの許可されたＣＳＧリスト内のＣＳＧ  ＩＤに一致する場合、前記ページングメッセージを対応するアクセスＮＥに送信するように構成されるか、または、前記ＣＳＧ指示情報を受信し、ＣＳＧ機能をサポートするアクセスＮＥにページングメッセージを送信するように構成され、前記ページングメッセージは前記ＵＥの許可されたＣＳＧリストを含む、前記管理ＮＥと、
を備える通信システム。
【請求項１２】
アクセスネットワーク要素（ＮＥ）と、アクセスゲートウェイ（ＧＷ）と、管理ＮＥと、を備える通信システムであって、
前記アクセスＮＥは、前記アクセスＮＥによってサポートされる限定加入者グループ（ＣＳＧ）ＩＤを前記アクセスＧＷに報告し、前記アクセスＧＷからページングメッセージを受信し、前記ページングメッセージを送信するように構成され、
前記アクセスＧＷは、前記アクセスＧＷによってサポートされるＣＳＧ  ＩＤを前記管理ＮＥに報告し、前記管理ＮＥからページングメッセージを受信し、前記ページングメッセージ内に含まれるページングされるＣＳＧ  ＩＤに従ってページングメッセージを対応するアクセスＮＥに送信するように構成されるか、または、前記アクセスＧＷのＣＳＧ指示情報を前記管理ＮＥに報告し、前記管理ＮＥからユーザ装置（ＵＥ）の許可されたＣＳＧリストを含むページングメッセージを受信し、前記アクセスＧＷによってサポートされるＣＳＧ  ＩＤが前記許可されたＣＳＧリスト内にあるかどうかを判定し、前記ＣＳＧ  ＩＤが前記許可されたＣＳＧリスト内にある場合、前記ページングメッセージを送信するように構成され、
前記管理ＮＥは、前記アクセスＧＷによって報告されたＣＳＧ  ＩＤを受信し、前記ＣＳＧ  ＩＤがページングされるＣＳＧ  ＩＤに一致するか、若しくは、前記ＵＥの許可されたＣＳＧリスト内のＣＳＧ  ＩＤに一致する場合、前記ページングメッセージを前記アクセスＧＷに送信するように構成されるか、または、前記アクセスＧＷによって報告されたＣＳＧ指示情報を受信し、前記ＣＳＧ指示情報に従ってＣＳＧ機能をサポートするアクセスＧＷにページングメッセージを送信するように構成され、前記ページングメッセージは前記ＵＥの許可されたＣＳＧリストを含む、
通信システム。
【手続補正２】
【補正対象書類名】明細書
【補正対象項目名】００１７
【補正方法】変更
【補正の内容】
【００１７】
本開示の一態様は、ページング方法を提供し、該方法は、
アクセスネットワーク要素（ＮＥ）からアクセスＮＥによってサポートされる限定加入者グループ（ＣＳＧ）ＩＤ、又は、ゲートウェイ（ＧＷ）からＧＷによってサポートされるＣＳＧ  ＩＤを受信することと、
アクセスＮＥによってサポートされるＣＳＧ  ＩＤに従ってページングされるアクセスＮＥ、又は、アクセスＧＷによってサポートされるＣＳＧ  ＩＤにしたがってペーシングされるアクセスＧＷを取得することと、
取得されたページングされるアクセスＮＥ又はアクセスＧＷにページングメッセージを送信することと、を含む。
【手続補正３】
【補正対象書類名】明細書
【補正対象項目名】００１８
【補正方法】変更
【補正の内容】
【００１８】
本開示の一態様は、管理ＮＥを提供し、管理ＮＥは、
アクセスＮＥから送信されるアクセスＮＥによってサポートされるＣＳＧ  ＩＤ、又は、アクセスＧＷから送信されるアクセスＧＷによってサポートされるＣＳＧ  ＩＤを受信するように構成された受信ユニットと、
アクセスＮＥによってサポートされるＣＳＧ  ＩＤに従ってページングされるアクセスＮＥ、又は、アクセスＧＷによってサポートされるＣＳＧ  ＩＤにしたがってページングされるアクセスＧＷを取得するように構成されたページングＮＥ取得ユニットと、
取得されたページングされるアクセスＮＥ又はアクセスＧＷにページングメッセージを送信するように構成されたページングユニットと、
を含む。
【手続補正４】
【補正対象書類名】明細書
【補正対象項目名】００１９
【補正方法】変更
【補正の内容】
【００１９】
本開示の一態様は、アクセスＮＥと、管理ＮＥと、を含む通信システムを提供する。
アクセスＮＥは、アクセスＮＥによってサポートされるＣＳＧ  ＩＤを管理ＮＥに報告し、管理ＮＥからページングメッセージを受信し、ページングメッセージを送信するか、又は、ＣＳＧ指示情報を管理ＮＥに報告し、ＵＥの許可されたＣＳＧリストを管理ＮＥから受信し、アクセスＮＥによってサポートされるＣＳＧ  ＩＤが許可されたＣＳＧリスト内にあるかどうかを判定し、ＣＳＧ  ＩＤが許可されたＣＳＧリストにある場合、ペーシングメッセージを送信するように構成される。
管理ＮＥは、アクセスＮＥによってサポートされるＣＳＧ  ＩＤを受信し、ＣＳＧ  ＩＤがページングされるＣＳＧ  ＩＤに一致するか、又は、ＵＥの許可されたＣＳＧリスト内のＣＳＧ  ＩＤに一致する場合、ページングメッセージを対応するアクセスＮＥに送信するか、又は、ＣＳＧ指示情報を受信し、ＣＳＧ機能をサポートするアクセスＮＥにページングメッセージを送信するように構成され、ページングメッセージはＵＥの許可されたＣＳＧリストを含む。
【手続補正５】
【補正対象書類名】明細書
【補正対象項目名】００２０
【補正方法】変更
【補正の内容】
【００２０】
本開示の一態様は、アクセスＮＥと、アクセスＧＷと、管理ＮＥと、を含む通信システムを提供する。
アクセスＮＥは、アクセスＮＥによってサポートされるＣＳＧ  ＩＤをアクセスＧＷに報告し、アクセスＧＷからページングメッセージを受信し、ページングメッセージを送信するように構成される。
アクセスＧＷは、アクセスＧＷによってサポートされるＣＳＧ  ＩＤを管理ＮＥに報告し、管理ＮＥからページングメッセージを受信し、ページングメッセージ内にあるページングされるＣＳＧ  ＩＤに従って対応するアクセスＮＥにページングメッセージを送信するか、又は、ＣＳＧ指示情報を管理ＮＥに報告し、管理ＮＥからＵＥの許可されたＣＳＧリストを含むページングメッセージを受信し、アクセスＧＷによってサポートされるＣＳＧ  ＩＤが許可されたＣＳＧリスト内にあるかどうかを判定し、ＣＳＧ  ＩＤが許可されたＣＳＧリスト内にある場合、ページングメッセージを送信するように構成される。
管理ＮＥは、アクセスＧＷによって報告されたＣＳＧ  ＩＤを受信し、ＣＳＧ  ＩＤがページングされるＣＳＧ  ＩＤに一致するか、又は、ＵＥの許可されたＣＳＧリスト内のＣＳＧ  ＩＤに一致する場合、アクセスＧＷにページングメッセージを送信するか、又は、アクセスＧＷによって報告されたＣＳＧ指示情報を受信し、ＣＳＧ指示情報に従ってＣＳＧ機能をサポートするアクセスＧＷにページングメッセージを送信するように構成され、ここで、ページングメッセージはＵＥの許可されたＣＳＧリストである。
【手続補正６】
【補正対象書類名】明細書
【補正対象項目名】０１３１
【補正方法】変更
【補正の内容】
【０１３１】
結論として、上記は、本開示の例示的実施形態にすぎない。本開示の範囲は、それらの例示的実施形態に限定されない。本開示の技術範囲内の当業者に容易に明らかとなる変形又は置換は、本開示の範囲内に入る。従って、本開示の保護範囲は、添付の特許請求の範囲によって規定される。
【国際調査報告】
2011530250.tif 000015
2011530250.tif 000016
2011530250.tif 000017
2011530250.tif 000018
2011530250.tif 000019
2011530250.tif 000020